(57)【要約】【課題】  安定したソケットの取付及び照明灯の交換作業を実現することができるショーケースを提供する。【解決手段】  本発明のショーケース１は、両端部にそれぞれ端子１４Ａを有する照明灯１４を設けて成るものであって、照明灯１４を本体の電源３７に接続するための一対のソケット２２を備え、各ソケット２２は、少なくとも照明灯側となる面が開口した筺体２５と、端子１４Ａの進入を許容した状態で筺体２５の開口を閉塞する蓋部材２６とから成り、筺体２５は、内部に端子１４Ａが接続される給電部３５が収納された接続部２９と、照明灯１４から離間する方向に移動されて棚８下面に係合する保持突起３３とを有し、蓋部材２６は、保持突起３３が棚８下面に係合した筺体２５の開口を閉塞した状態で、ネジ５３により棚８下面に固定される。【選択図】図３
2007222294.tif 000002
【特許請求の範囲】
【請求項１】
両端部にそれぞれ端子を有する照明灯を設けて成るショーケースにおいて、
前記照明灯を本体の電源に接続するための一対のソケットを備え、
各ソケットは、少なくとも前記照明灯側となる面が開口した筺体と、前記端子の進入を許容した状態で前記筺体の開口を閉塞する蓋部材とから成り、
前記筺体は、内部に前記端子が接続される給電部が収納された接続部と、前記照明灯から離間する方向に移動されて前記本体に係合する係合部とを有し、
前記蓋部材は、前記係合部が前記本体に係合した筺体の前記開口を閉塞した状態で、固定具により前記本体に固定されることを特徴とするショーケース。
【請求項２】
前記筺体は、前記接続部を挟んで前記係合部とは反対側となる位置に、前記本体に係合する補助係合部を有することを特徴とする請求項１に記載のショーケース。
【請求項３】
前記補助係合部は、前記照明灯の長手方向となる方向に移動されて前記本体に係合すると共に、前記照明灯とは反対側となる面に、前記移動方向に直交する向きの壁を有していることを特徴とする請求項２に記載のショーケース。
【請求項４】
前記ソケットは、前記筺体及び蓋部材から成る本体側ソケット部材と、前記照明灯に装着され、前記本体側ソケット部材に着脱自在に取り付けられる照明灯側ソケット部材とから構成され、
前記筺体の接続部は、前記開口と直交する面に前記端子が通過可能な挿入部を有し、当該挿入部の方向から前記照明灯側ソケット部材を前記本体側ソケット部材に取り付けることで、前記端子は前記挿入部を通過し、前記給電部に接続されることを特徴とする請求項２又は請求項３に記載のショーケース。
【発明の詳細な説明】
【技術分野】
【０００１】
本発明は、陳列室内やショーケース前方を照明するために設けられる照明灯、特に、端部に端子を有する照明灯を設けて成るショーケースに関するものである。
【背景技術】
【０００２】
従来よりスーパーマーケットやコンビニエンスストアなどに設置されるショーケースは、本体内に形成される陳列室内に当該陳列室内やショーケース前方等を照明するための照明灯が取り付けられている。照明灯は、陳列室の天井面前部に位置するキャノピー下面や、棚が複数段架設されている場合には、当該棚下面前部に位置して取り付けられている。照明灯としては一般に蛍光灯などが用いられるため、経年劣化に伴い交換作業が必要とされる。
【０００３】
陳列室内に取り付けられる各照明灯は、機械室内に設置した電源に接続された給電線が接続されている（特許文献１参照）。照明灯は、陳列室の前部に取り付けられているため、給電線は、当該照明灯の取付位置にまで引き出されて配線されており、いずれも棚の下面や天井面に沿って固定されている。給電線の端部にはソケットが取り付けられており、照明灯の端部に設けられる端子を当該ソケットに装着することで、照明灯と給電線とが電気的に接続され、給電線を介して電源に電気的に接続される。
【０００４】
この場合において、給電線が接続されたソケットへの照明灯の脱着の作業性を考慮して、給電線に所定の弛みを保たせた状態でソケット近傍の給電線が照明灯の取付箇所の近傍に固定されている。そのため、照明灯が取り付けられた状態では、給電線が棚下や天井面から下側に弛むことで、陳列室の前面に給電線が露出し、外観上好ましくないという問題があった。
【０００５】
また、ソケットを介して給電線に電気的に接続された照明灯は、棚下面や陳列室天井面に固定されたクリップなど挟持させることで、固定されていた。そのため、ショーケースの左右に渡って長く取り付けられる照明灯は、交換作業時において、長手方向に対し複数取り付けられるクリップから脱着する作業や各ソケットへの脱着作業が伴うため、作業が煩雑となる問題があった。
【０００６】
そこで、上述した如き照明灯の交換作業を簡素化及び給電線の露出防止を図るため、特許文献２に示されるような蛍光灯の取付装置が開発されている。この蛍光灯の取付装置は、棚の下面に固定されるソケット本体と、当該ソケット本体に装着固定される蛍光灯ホルダーとから構成される。蛍光灯ホルダーは、受電用端子ピンが設けられる蛍光灯の両端に装着され、当該蛍光灯ホルダーをソケット本体に装着することで、給電線が棚下面から弛んだ状態で露出することなく、且つ、蛍光灯ホルダーとソケット本体との係合のみで棚下面に蛍光灯が取り付けられる。
【特許文献１】特開平７−１４３９２８号公報
【特許文献２】実開平５−６９８９２号公報
【発明の開示】
【発明が解決しようとする課題】
【０００７】
しかしながら、上述した如き特許文献２におけるソケット構成では、棚下面に取り付けられるソケット本体は、水平部の上面に突出する突起によって、取付位置への位置決めが行われ、ネジによって棚下面に取り付けられる。このとき、ネジの固定方向は、蛍光灯の着脱方向に対し平行、即ち、棚下面に対し垂直方向に蛍光灯の着脱が行われるのに対し、ネジの固定方向も同様に棚下面に対し垂直方向に行われている。
【０００８】
そのため、蛍光灯の着脱作業が繰り返し行われることにより、ソケット本体を固定するネジが緩み、ソケット本体が棚下面から脱落するおそれがある。特に、蛍光灯を取り外す際には、蛍光灯を蛍光灯ホルダーと共に下側に向けて引き抜くことで、蛍光灯ホルダーとソケット本体との係合を開放し、蛍光灯を取り外していた。従って、蛍光灯を取り外す際には、真下側に引き抜く際に、蛍光灯ホルダーとソケット本体との係合を離脱させるだけの力がソケット本体に加わる。そのため、ソケット本体を棚下面に固定するネジが緩みやすくなり、取り外し作業中にソケット本体も脱落してしまう不都合が招来する問題もあった。
【０００９】
そこで、本発明は従来の技術的課題を解決するために成されたものであり、安定したソケットの取付及び照明灯の交換作業を実現することができるショーケースを提供する。
【課題を解決するための手段】
【００１０】
本発明のショーケースは、両端部にそれぞれ端子を有する照明灯を設けて成るものであって、照明灯を本体の電源に接続するための一対のソケットを備え、各ソケットは、少なくとも照明灯側となる面が開口した筺体と、端子の進入を許容した状態で筺体の開口を閉塞する蓋部材とから成り、筺体は、内部に端子が接続される給電部が収納された接続部と、照明灯から離間する方向に移動されて本体に係合する係合部とを有し、蓋部材は、係合部が本体に係合した筺体の開口を閉塞した状態で、固定具により本体に固定されることを特徴とする。
【００１１】
請求項２の発明のショーケースは、上記発明において、筺体は、接続部を挟んで係合部とは反対側となる位置に、本体に係合する補助係合部を有することを特徴とする。
【００１２】
請求項３の発明のショーケースは、上記発明において、補助係合部は、照明灯の長手方向となる方向に移動されて本体に係合すると共に、照明灯とは反対側となる面に、前記移動方向に直交する向きの壁を有していることを特徴とする。
【００１３】
請求項４の発明のショーケースは、上記請求項２又は請求項３の発明において、ソケットは、筺体及び蓋部材から成る本体側ソケット部材と、照明灯に装着され、本体側ソケット部材に着脱自在に取り付けられる照明灯側ソケット部材とから構成され、筺体の接続部は、開口と直交する面に端子が通過可能な挿入部を有し、当該挿入部の方向から照明灯側ソケット部材を本体側ソケット部材に取り付けることで、端子は挿入部を通過し、給電部に接続されることを特徴とする。
【発明の効果】
【００１４】
本発明によれば、両端部にそれぞれ端子を有する照明灯を設けて成るショーケースにおいて、照明灯を本体の電源に接続するための一対のソケットを備え、各ソケットは、少なくとも照明灯側となる面が開口した筺体と、端子の進入を許容した状態で筺体の開口を閉塞する蓋部材とから成り、筺体は、内部に端子が接続される給電部が収納された接続部と、照明灯から離間する方向に移動されて本体に係合する係合部とを有し、蓋部材は、係合部が本体に係合した筺体の開口を閉塞した状態で、固定具により本体に固定されるので、筐体の係合部の係合が確実に維持されることとなる。
【００１５】
そのため、各ソケットは、照明灯を取り付けることで、照明灯の長手方向に向いた付勢力を受けることとなるが、その方向が係合部の係合、及び、蓋部材による閉塞を維持する方向となるため、ソケットの筐体の係合及び蓋部材の固定、並びに、筐体と蓋部材の結合維持が良好に行うことが可能となる。
【００１６】
従って、筐体の係合部が本体に係合された状態で、当該係合部の係合の開放を禁止する位置において蓋部材が固定具により本体に固定されているため、照明灯が本体から離間する方向に力が加えられた場合であっても、これら筐体と蓋部材とが分離してしまう不都合を回避することが可能となる。これにより、安定したソケットの取付及び照明灯の交換作業を実現することが可能となる。
【００１７】
請求項２の発明によれば、上記発明において、筐体は、接続部を挟んで係合部とは反対側となる位置に、本体に係合する補助係合部を有するので、接続部を挟んで係合部と補助係合部によってソケットを構成する筐体を本体に係合させることが可能となり、当該筐体の取付強度を向上させることが可能となる。
【００１８】
これにより、照明灯の交換作業が行われる際に、照明灯が本体から離間させる方向に力が加えられることで、ソケット自体にも本体から離間させる方向の力が加わった場合であっても、上述した如き筐体に形成される係合部と、補助係合部による本体への係合により、ソケット自体が本体から外れてしまう不都合を回避することが可能となる。
【００１９】
また、請求項３の発明によれば、上記発明において、補助係合部は、照明灯の長手方向となる方向に移動されて本体に係合すると共に、照明灯とは反対側となる面に、移動方向に直交する向きの壁を有しているので、照明灯の長手方向における外側、即ち、ソケットの外側に壁面がある場合に、補助係合部の塞がれた方の面の壁が当該壁面に当接するため、ソケット自体が倒れたり、取付位置がずれてしまう不都合を抑止することが可能となる。
【００２０】
これにより、補助係合部に形成された壁が当該ソケットの外側に位置する壁面と当接することで、照明灯の長手方向に向いた付勢力を受けることが可能となり、より一層ソケットの取付強度を向上させることが可能となる。
【００２１】
請求項４の発明によれば、上記請求項２又は請求項３の発明において、ソケットは、筺体及び蓋部材から成る本体側ソケット部材と、照明灯に装着され、本体側ソケット部材に着脱自在に取り付けられる照明灯側ソケット部材とから構成され、筺体の接続部は、開口と直交する面に端子が通過可能な挿入部を有し、当該挿入部の方向から照明灯側ソケット部材を本体側ソケット部材に取り付けることで、端子は挿入部を通過し、給電部に接続されるため、照明灯側ソケット部材が照明灯の端子に装着された状態で、当該照明灯側ソケット部材を本体側ソケット部材に取り付けることにより、照明灯の端子は、本体側ソケット部材の給電部に確実に電気的に接続することが可能となる。
【００２２】
これにより、ソケットにより本体に取り付けられる照明灯の端子が、照明灯の自重によりソケットの給電部から離間する方向に力が加わっても、照明灯側ソケット部材と本体側ソケット部材に取り付けられることで、照明灯の端子は、確実に本体側ソケット部材内部に収容される給電部と接続されるため、接触不良により、点灯不全や、温度が異常に上昇することによる端子やソケットの焼損を未然に回避することができるようになる。
【００２３】
また、従来のようにクリップにて照明灯を保持させる構成に比して、容易に照明灯を本体に取り付けることが可能となる。
【００２４】
更に、照明灯側ソケット部材の着脱方向は、係合部及び補助係合部が本体に係合する方向と直交する方向となるため、照明灯着脱時の力に対してソケットの取付強度を向上させることが可能となる。そのため、ソケットを安定して本体に取り付けられることから、照明灯の着脱作業を安定して行うことができ、作業性の向上を図ることができるようになる。
【発明を実施するための最良の形態】
【００２５】
以下、本発明を適用した実施形態について図面を参照して説明する。図１は本発明のショーケースの実施例としての低温ショーケース１の斜視図、図２は低温ショーケース１の概略縦断側面図を示している。各図において、低温ショーケース１はスーパーマーケットやコンビニエンスストアなどの店舗内に設置されるものであり、断面略コ字状の断熱壁２の両側に側板３、３を取り付けて本体４が構成される。この断熱壁２の内側には間隔を存して仕切板６及び底板７が取り付けられ、これらの内側に前面に開口した陳列室５が構成されると共に、これらと断熱壁２との間に一連のダクト９が構成されている。
【００２６】
そして、このダクト９は陳列室５の開口上縁にて開口する吐出口１０と、開口下縁にて開口する吸込口１１に連通すると共に、背面のダクト９には冷却装置Ｒに含まれる冷却器１２が縦設され、底板７下方のダクト９内には送風機１３が設置される。陳列室５内には、上下に渡って詳細は後述する如き複数段の棚８・・が架設される。
【００２７】
一方、断熱壁２の下方には、機械室１７が形成されており、当該機械室１７内には、ユニットベース１８が設けられると共に、当該ユニットベース１８上には、上記冷却装置Ｒに含まれる圧縮機１９、凝縮器２０及び凝縮器用送風機２１が設置され、機械室１７内に配設される。
【００２８】
以上の構成により、前記送風機１３が運転されると冷却器１２と熱交換した冷気はダクト９内を上昇せられ、前記吐出口１０より陳列室５内に吐出される。そして、前記吸込口１１から吸い込まれた冷気は再び送風機１３によって加速され、陳列室５内に冷気が循環されて陳列室５内は所定の温度に冷却される。
【００２９】
次に、図３乃至図８を参照して棚８について詳述する。図３は棚８下面の斜視図、図４は棚８下面の後方斜視図、図５は図４の円Ａの部分拡大図、図６は図４の円Ｂの部分拡大図、図７は棚８下面の部分拡大平面図、図８はソケット２２が棚端部に取り付けられた状態を示す下方から見た拡大斜視図、図９は棚８下面の部分斜視図を示している。尚、図７は、ソケット２２の取付状態を説明するため、端部側及び内方にそれぞれソケット２２及び照明灯１４が取り付けられた状態を図示している。
【００３０】
棚８は、左右に取り付けられるブラケット６５、６５により、陳列室５内に設けられる支柱６４に保持される。この棚８は、鋼板製材料にて構成される棚板８０と、当該棚板８０の両側端に位置して下面に取り付けられる棚側板６８、６８と、棚板８０の左右に渡って下面に取り付けられる補強板３２、３２とから構成される。
【００３１】
棚板８０の前端及び後端は下方に向けて略直角に折曲されて、前壁及び後壁が形成されている。棚側板６８は、断面略Ｌ字状に折曲形成されており、側面が棚板６８の側端と略面一となるように上面を棚板８０の下面に当接させてスポット溶接により固定されている。
【００３２】
また、補強板３２は棚下前部と、棚下後部の２箇所に位置して設けられる棚板６８の補強部材である。この補強部材３２は、上辺が下辺よりも長い断面略台形状に折曲形成された板状部材である。補強部材３２の前壁３２Ａは、棚板８０の下面に対し鈍角を形成する傾斜面とされていると共に、後壁３２Ｂは、棚板８０の下面に対し略垂直乃至少許鈍角を形成する傾斜面となるように構成されているものとする。
【００３３】
そして、この補強部材３２の前側上端及び後側上端はいずれも外方に向けて棚板８０下面に沿って折曲形成された当接面３２Ｃとされており、当該当接面３２Ｃは、スポット溶接によって固定されている。尚、この補強部材３２の両端は、棚側板６８と所定間隔を存して設けられており、これら補強部材３２と棚側板６８との間には図７に示されるようにブラケット６５の収容空間が形成されている。
【００３４】
本実施例において棚側板６８の上面は、補強部材３２、３２の取付位置に対応して、当該補強部材３２、３２と重合されることを回避するための切欠６８Ａが形成されている。そのため、補強部材３２、３２は、端部が棚側板６８上面に形成される切欠６８Ａに囲繞されるかたちで固定されることとなる。
【００３５】
このとき、これら補強部材３２及び棚側板６８の棚板８０へのスポット溶接は、図７に示されるように補強部材３２の棚板８０当接面３２Ｃ端部への補強部材固定スポット８１Ａと、当該補強部材固定スポット８１Ａよりも内方、即ち棚側板６８上面内方側端部に位置して棚側板６８の棚板８０当接面への棚側板固定スポット８１Ｂと、前記補強部材固定スポット８１Ａよりも外方、即ち棚側板６８上面外方側端部に位置して棚側板６８の棚板８０との当接面への棚側板固定スポット８１Ｃの少なくとも３箇所に行われる。このとき、棚側板固定スポット８１Ｂは、棚側板６８の切欠６８Ａによって形成される角隅部に位置して行われるものであり、これら補強部材固定スポット８１Ａと、棚側板固定スポット８１Ｂ、８１Ｃは、三角形を形成するものとする。
【００３６】
ここで、当該棚板８０上面に商品等が陳列され荷重が加わった際に、棚板８０自体が変形し、補強部材３２や棚側板６８が剥離する方向に力が加わる場合がある。この場合において、各当接面を溶着する固定スポット８１Ａ、８１Ｂ、８１Ｃは、三角形を形成することから一箇所が剥離する方向に力が加わっても、他の二箇所においてスポット溶接が行われていることから、これらの固定スポットの作用により、剥離する方向に力が加わっている箇所に対し、棚板８０側に当接する方に力が加わることとなる。そのため、スポット溶接であっても、棚板８０から補強部材３２や棚側板６８が剥離してしまう不都合を抑制することが可能となり、安定して棚８上面に商品を陳列することが可能となる。
【００３７】
また、棚８に設けられる補強板３２は、上述したように断面略台形状に構成されていることから、棚８自体の厚さ寸法を薄くなるように構成した場合であっても、所定の強度を維持することができ、棚８上面に商品が載置された場合であっても、安定して商品を保持することが可能となる。
【００３８】
他方、棚８の下面には、補強板３２の前側に位置して左右に渡って下方に延出して形成される取付片５０が形成されている。この取付片５０は、鋼板性材料にて構成されており、所定角度で前下方に傾斜して形成されている。そして、この取付片５０には、図８に示されるように切欠５０Ａが形成されており、当該切欠５０Ａは、長手方向に渡って複数形成されているものとする。これにより、棚８下面には、補強板３２の前壁３２Ａ（後側反射板）と取付片５０（前側反射板）とこれらの間に位置する棚８下面（天面反射板）８０Ａとによって一連の反射板を構成している。
【００３９】
尚、本実施例において、左右両側端には当該取付片５０が形成されておらず、図９に示されるように当該取付片５０と同様の位置に当該棚８を構成する棚板の一部を前記取付片５０と同様の角度で下方に切り起こして端部取付片６７が形成されている。
【００４０】
また、棚８の前壁には、透明板材料にて構成される前板８２が上方に突出して取り付けられており、当該前板８２の前面に位置して棚８の前壁には、前板８２を棚８に固定すると共に、前面にプライスカードを保持可能とするプライスレール８Ａが取り付けられている。このプライスレール８Ａの下端は、前板８２の下面及び棚板８０前壁下面を囲繞するように後方に延在して構成され、棚板８０に対し着脱自在に取り付けられる。本実施例では、当該プライスレール８Ａは、棚８の下端よりも少許下方に延在して構成されており、これによって、前方から棚８を見た際に、棚８自体が薄く見える効果がある。そのため、ショーケース１全体として美感が向上する。
【００４１】
また、当該棚８の下面には、詳細は後述するソケット２２を介して下側に架設される棚８上の商品や、陳列室５前方を照明するための照明灯１４が着脱自在に取り付けられている。
【００４２】
また、断熱壁２の前面開口の上縁には、吐出口１０の前側に位置してキャノピー１５が設けられ、当該キャノピー１５の下部には、陳列室８内や陳列室８周辺を上部から照明するための照明灯１６がソケット２２を介して着脱自在に取り付けられている。尚、当該照明灯１４、１６は、端部に受電用の端子を備え、給電部からの給電により点灯可能とするものであり、例えば、蛍光灯、ＬＥＤなどであるものとし、本実施例では、端子間距離が５ｍｍ程度である細管タイプの所謂Ｔ５管を使用する。
【００４３】
次に、図１０乃至図２４を参照してソケット２２の構造について説明する。図１０は陳列室５の一側に取り付けられるソケット２２の側面図、図１１は図１０のソケット２２の部分透視断面図、図１２は本体側ソケット部材２３の斜視図、図１３は本体側ソケット部材２３の側面図、図１４は本体側ソケット部材２３の筐体２５の側面図、図１５は本体側ソケット部材２３の蓋部材２６の側面図、図１６は図１３を下側からみた平面図、図１７は本体側ソケット部材２３の正面図、図１８は図１６に給電線３６が取り付けられた状態を示した図、図１９は照明灯側ソケット部材２４の斜視図、図２０は照明灯側ソケット部材２４の側面図、図２１は図２０を右からみた図、図２２は図２０を裏側からみた図、図２３は図２０を下からみた図、図２４はカバー部５７の拡大断面図を示している。
【００４４】
本実施例におけるソケット２２は、端部に受電用の端子１４Ａを有する照明灯１４を係脱自在にショーケース１の本体側、本実施例では、棚８下面に固定するものである。ソケット２２は、本体側ソケット部材２３と、照明灯側ソケット部材２４とから構成される。
【００４５】
本体側ソケット部材２３は、照明灯１４側となる面が開放する筐体２５と、当該筐体２５の開口を閉塞する蓋部材２６とから構成される。筐体２５は、棚８下面に当接して取り付けられる本体側取付面２８と、当該本体側取付面２８から下方に突出して形成される接続部２９と、当該本体側取付面２８の後端に形成されるコンデンサ収容部３０とが硬質合成樹脂にて一体に成形されている。接続部２９とコンデンサ収容部３０は、連通して形成されていると共に、いずれも陳列室５内方に向けて、即ち照明灯１４側となる面が開口する。
【００４６】
そして、照明灯１４の両端に取り付けられるソケット２２の内の一方のソケット２２のコンデンサ収容部３０内にのみ、コンデンサ３４が収容される。
【００４７】
筐体２５に形成される接続部２９には、内部を上下に区画する仕切壁２９Ａが形成されており、当該仕切壁２９Ａを隔てて、垂下した状態で二つの給電接片（給電部）３５、３５が収容される。これら給電接片３５の上端には、それぞれ給電線３６が接続されている。図２６には、各給電接片３５の給電線３６の接続関係が示される。即ち、当該筐体２５にコンデンサ３４が収容されているソケット２２については、一方の給電線３６は、当該コンデンサ３４に接続される。他方の給電線３６は、蓋部材２６が取り付けられた状態で外部に引き出され、ショーケース１の機械室１７内に設けられる電源３７に接続される。また、筐体２５にコンデンサ３４が収容されていないソケット２２については、いずれの給電線３６も蓋部材２６が取り付けられた状態で外部に引き出された後、一方は、前記コンデンサ３４が収容されたソケット２２内のコンデンサ３４に接続され、他方の給電線３６は上記と同様に電源３７に接続される。
【００４８】
これにより、従来、ソケットとは別に陳列室内やショーケースの何れかの箇所に取り付けられていたコンデンサ３４をソケット２２内に収容することが可能となり、照明灯１４とは給電線３６を介して配線接続されるコンデンサ３４を別途ショーケース１内に取り付ける必要が無くなる。そのため、給電線３６の配線処理の簡素化を図ることができるようになると共に、部品点数の削減を図ることができ、組立作業性の向上を図ることが可能となる。
【００４９】
給電接片３５は、弾性材料にて構成されており、図１１及び図１４に示されるように接続部２９の中央に向けて湾曲し、両給電接片３５、３５が近接した後、接続部２９の側方、即ち、本体側ソケット部材２３の前側に収容される給電接片３５については前方（図１１では左側）、後側に収容される給電接片３５については後方（図１１では右側）に向けて折り返され、更に、接続部２９の内壁に向けて近接するように内壁側に張り出した形状とされている。
【００５０】
そして、この接続部２９の下面には、仕切壁２９Ａを隔てた状態で照明灯１４の受電用の端子１４Ａを下端から挿入するための挿入部３９が形成されている。そのため、接続部２９の下端に形成される挿入部３９から挿入される端子１４Ａは、給電接片３５が取り付けられる接続部２９内に進入可能となる。
【００５１】
また、この接続部２９の前後面には、図１７に示すように下端から所定高さ、具体的には、接続部２９内に収容される給電接片３５の折り返された端面が当該接続部２９の内壁に近接している高さにまで渡って、切欠２９Ｂ、２９Ｂが形成されている。
【００５２】
更に、この接続部２９の前後（図１４では左右に図示される）には、垂下した後、下端が内方に向けて突出する係合爪（係合部）４０、４０が筐体２５と一体に形成されている。この係合爪４０、４０は、後述する照明灯側ソケット部材２４に形成される係合爪４１、４１と係脱可能に挿入するため、当該係合爪４０と接続部２９との間には、所定の空間が形成されているものとする。
【００５３】
一方、筐体２５の本体側取付面２８の前端には、棚８下面の取付片５０又は端部取付片６７に係脱自在に係止される補助係合部３１が形成されている。この補助係合部３１は、上述した如き取付片５０又は６７と略同一の角度にて傾斜すると共に、当該取付片５０又は６７に向けて開口して形成される。そのため、当該補助係合部３１が取付片５０又は６７に係合された状態で、当該補助係合部３１の上端下面は、各取付片５０又は６７の下端によって垂直方向の移動が規制される。これによって、補助係合部３１が取付片５０又は６７に係止される構成である。
【００５４】
尚、当該補助係合部３１は、上記構成に限定されるものではなく、照明灯１４の長手方向となる方向に移動可能とされて棚８下面に形成される各取付片５０又は６７等の係合部に係合可能とするものであればよく、当該補助係合部３１が、本体側、即ち棚８下面に形成される係合部によって、垂直方向の移動が規制されるものであれば良い。
【００５５】
また、この補助係合部３１は、照明灯側とは反対側となる面に壁３１Ａが形成されている。この壁３１Ａは、当該補助係合部３１の移動方向に直交する向きに形成されているものとする。
【００５６】
また、筐体２５のコンデンサ収容部３０は、本体側取付面２８に対し、下後方に向けて傾斜して形成されている。そして、このコンデンサ収容部３０の後面は、棚８下面に形成される断面略台形状の補強板３２の前壁３２Ａに沿って取付可能とするため、所定角度だけ傾斜して形成される。補強板３２には、当該ソケット２２の取付位置に、図２７、図２８に示すように係合孔５１及びネジ孔５２が形成されている。他方、コンデンサ収容部３０の後面には、補強板３２の前壁３２Ａに向けて突出して形成される保持突起３３（係合部）が形成されている。尚、当該保持突起３３は、接続部２９を挟んで補助係合部３１の反対側に位置する。
【００５７】
尚、当該保持突起３３は、コンデンサ収容部３０の後面と略面一とされる切込３３Ａ（図２７及び図２８のみ図示する）が外方から内方に向けて所定寸法だけ形成されており、補強板３２に形成された係合孔５１に挿入した後、当該ソケット２２を切込み方向、即ち、照明灯１４から離間する方向に移動させることで、補強板３２の係合孔５１に係合される（図２８）。当該移動によって、後述する蓋部材２６に形成されるネジ孔４７と、当該補強板３２に形成されるネジ孔５２とが重合させることにより、これらをネジ５３にて螺合することで、ソケット２２を確実に補強板３２に固定することが可能となる。
【００５８】
また、コンデンサ収容部３０の前面は、前記接続部２９の後側に位置する係合爪４０の外方に（本実施例では後側に）連続して一体に形成されていると共に、当該係合爪４０と照明灯側ソケット部材２４の係合爪４１との係合に対し、鋭角を成すように傾斜しながら離間する傾斜面３０Ａとされている。これにより、当該傾斜面３０Ａと、照明灯側ソケット部材２４の係合爪４１との間には、手指を挿入可能とする手指挿入空間が形成される。
【００５９】
他方、蓋部材２６は、図１５に示されるように、筐体２５の接続部２９及びコンデンサ収容部３０の開口と外形が略同様に形成されている。筐体２５の接続部２９の蓋部分に相当する位置には、前記筐体２５に形成される挿入部３９及び仕切壁２９Ａに対応して端子挿入用の切欠４２が形成されている。更に、接続部２９の上部には、照明灯側ソケット部材２４の上縁に当接するフランジ４４が形成されている。
【００６０】
そして、蓋部材２６は、筐体２５の本体側取付面２８の後部に対応する位置に、給電線引出口２６Ａが形成されている。また、コンデンサ収容部３０の蓋部材に相当する位置には、図１２に示されるように、コンデンサ収容部３０内に向けて開口する蓋側コンデンサ収容部４５が形成されると共に、当該蓋側コンデンサ収容部４５の後端には、筐体２５のコンデンサ収容部３０の後面と略面一とされる固定部４６が形成されている。この固定部４６には、上述した如く棚８下面に取り付けられる補強板３２と当接して、当該補強板３２に形成されるネジ孔５２と螺合するためのネジ孔４７及びアース用端子固定部４８（図１６及び図１７に示す）が形成されている。
【００６１】
そのため、上述した如き給電線３６と共に、電源３７から本体側ソケット部材２３に引き出されたアース用端子６９は、図１８及び図２５に示す如く安定してアース用端子固定部４８に固定される。これにより、アース用端子６９を安全、且つ、容易に本体側ソケット部材２３に固定することが可能となり、アース用端子６９の配線処理を簡素化することができる。
【００６２】
次に、図１９乃至図２４を参照して照明灯側ソケット部材２４について説明する。照明灯側ソケット部材２４は、上記本体側ソケット部材２３と同様に、硬質合成樹脂にて形成されており、照明灯１４の端部に装着される装着部５５と、当該装着部５５の外側に形成される収容部５６とから構成される。
【００６３】
装着部５５は、照明灯１４の端部を囲繞する有底円筒状のカバー部５７と、当該カバー部５７の内壁に内方に向けて突出して形成される複数の照明灯保持部５８とから構成されている。この照明灯保持部５８は、当該カバー部５７内に挿入される照明灯１４外周を略きっちりと保持可能とする。また、照明灯保持部５８は、陳列室５側、即ち、照明灯１４の挿入側端部は、外方に向けて拡開して形成されており、照明灯１４の端部を挿入しやすくなる。
【００６４】
また、このカバー部５７の外周面には、図２１及び図２４に図示されるように照明灯１４の挿入方向と略平行に形成される複数の突条から成る保温筒保持部５９が形成されている（尚、図２３では図示していない）。保温筒４３は、照明灯１４の長手方向に渡って周囲を囲繞する硬質合成樹脂製の透明な円筒部材であり、照明灯１４と陳列室５内との熱切りの機能を有するものであり、照明灯１４の熱が陳列室５内の商品に悪影響を及ぼすのを防止すると共に、当該陳列室５内の冷気によって、照明灯１４自体が冷却され、照度が低下してしまうのを防止する。そのため、装着部５５のカバー部５７の外形寸法は、保温筒４３の内径寸法よりも小さく形成されているものとし、当該カバー部５７の外形寸法と、保温筒４３の内径寸法との差を保温筒保持部５９の突条によって埋め合わせることで、略きっちり保温筒４３を保持することが可能となる。
【００６５】
そして、カバー部５７を構成する円筒底面、即ち、カバー部５７の外端面には、照明灯１４端部に設けられる受電用の端子１４Ａ、１４Ａを挿通可能とする端子挿通孔６０、６０が形成されている。この端子挿通孔６０は、中央部分を一方向だけかしめて形成することで他の方向よりも短く形成された長孔形状とされている。そのため、端子１４Ａが挿通された状態で、端子挿通孔６０の内縁は端子１４Ａに圧接される。これにより、一旦端子挿通孔６０に挿通された端子１４Ａが、容易には外れないものとなる。
【００６６】
他方、装着部５５の外側に形成される収容部５６は、上面が開口し、内部に本体側ソケット部材２３の接続部２９を挿脱自在に収容するための収容空間が形成されており、当該収容空間、即ち、収容部５６内は、前記カバー部５７の端子挿通孔５８を介して挿通された照明灯１４の端子１４Ａが進入される。
【００６７】
また、この収容部５６内の下角隅には、それぞれ内部上方に向けて突出して形成される押圧部６１、６１が収容部５６に一体に形成されている。更に、この収容部５６の下面には、複数、本実施例では、２つの水抜き孔６２、６２が形成されている。
【００６８】
収容部５６の前後（図２２では左右に図示される）には、収容部５６の下面から所定寸法だけ外方、即ち、それぞれ前後方向に延在した後、略直角に起立した状態とされる係合爪４１、４１が収容部５６と一体に形成される。この係合爪４１、４１は、それぞれ下端を中心として内方に押圧可能とする弾性材料にて構成されていると共に、上端が外方、即ち、前側に形成される係合爪４１は、前方に向けて、後側に形成される係合爪４１は、後方に向けて突出して形成されている。この係合爪４１、４１は、それぞれ上述した如き本体側ソケット部材２３に形成される係合爪４０、４０と係脱可能とされている。
【００６９】
次に、本実施例におけるソケット２２の取付方法及び当該ソケット２２による照明灯１４の取付方法について図２５乃至図３３を参照して説明する。図２５はソケット２２に給電線３６及び照明灯１４を取り付ける状態を説明する概略図、図２６は電気配線図、図２７はソケット２２が棚８下面に取り付けられる状態を下方からみた一部切欠斜視図、図２８は、図２７の部分拡大図、図２９はソケット２２が棚８下面に取り付けられた状態を示す下方からみた拡大斜視図、図３０はソケット２２が棚８下面に取り付けられた状態の部分拡大平面図、図３１は図３０の部分縦断側面図、図３２は図３０の部分拡大斜視図、図３３はソケット２２の取付状態を示す部分拡大斜視図を示している。
【００７０】
先ず初めに、ソケット２２を構成する本体側ソケット部材２３を棚８下面に固定する。図８、図３０及び図３２に示すように、棚８下面の端部に本体側ソケット部材２３を取り付ける場合には、本体側ソケット部材２３の補助係合部３１を端部取付片６７に係止させる。このとき、補助係合部３１に形成される壁３１Ａが、端部取付片６７の照明灯１４側とは反対側の端面を囲繞するように補助係合部３１を係止させる。そして、本体側ソケット部材２３のコンデンサ収容部３０の後面に形成された保持突起３３を棚８下面に設けられる補強板３２と棚側面を構成する棚側板６８との間に当該棚側板６８に沿って挿入し、補助係合部３１を端部取付片６７に係止させる。そして、本体側ソケット部材２３の固定部４６に形成されるネジ孔４７を補強板３２の前壁３２Ａに予め穿設されるネジ孔と重合させ、ネジ５３によって螺合する。
【００７１】
これにより、本体側ソケット部材２３は、筐体２５と蓋部材２６の二部品によって構成されているが、筐体２５は、保持突起３３が補強板３２の前壁３２Ａと棚側板６８との間に挿入されると共に、当該筐体２５をネジ５３によって直接棚８下面に固定される蓋部材２６と、棚側板６８とにより狭持される。そのため、筐体２５を棚側板６８に当接した状態において、当該筐体２５が内方に移動することを禁止する位置において蓋部材２６が固定具としてのネジ５３により本体側、即ち補強板３２の前壁３２Ａに固定されているため、筐体２５に形成される係合爪４０、４０に下方に引っ張る力が加わった場合であっても、蓋部材２６と筐体２５とが分離し、ソケット２２に取り付けられる照明灯１４が落下する不都合を回避することができる。
【００７２】
特に、係る保持突起３３による補強板３２への固定及びネジ８３による蓋部材２６の補強板３２への固定は、照明灯１４の取り外し方向に対し、離脱する方向になされたものではないことから、照明灯１４の交換作業によって、ソケット２２が外れにくくなり、より安定してソケット２２を本体、即ち、棚８下面に取り付けることが可能となる。
【００７３】
また、筐体２５には、接続部２９を挟んで保持突起３３とは反対側に位置して補助係合部３１が形成されており、当該補助係合部３１は、棚８下面に設けられる端部取付片６７に照明灯１４の長手方向となる方向に移動されて係合するため、接続部２９を挟んで保持突起３３と補助係合部３１によってソケット２２を構成する筐体２５を棚８下面に係合させることが可能となり、本体側ソケット部材２３を構成する筐体２５の取付強度を向上させることが可能となる。
【００７４】
そのため、照明灯１４の交換作業が行われる際に、照明灯１４が棚８下面から離間させる方向、即ち、本実施例では下方向に力が加えられることで、ソケット２２自体にも棚８下面から離間させる方向の力が加わった場合であっても、上述した如き筐体２５に形成される保持突起３３と、補助係合部３１による棚８下面への係合により、ソケット２２自体が棚８下面から外れてしまう不都合を回避することが可能となる。
【００７５】
また、当該補助係合部３１の端部取付片６７への係合は、補助係合部３１の上端下面が、端部取付片６７の下端によって垂直方向の移動が規制されるものであるため、照明灯１４の取り外し方向に対し、離脱する方向になされたものではないことから、照明灯１４の交換作業によって、当該補助係合部３１の係合が外れる不都合が生じない。そのため、上記保持突起３３による係合と共に、棚８下面に対し、安定して係止されることから、ソケット２２が外れにくくなり、より安定してソケット２２を本体、即ち、棚８下面に取り付けることが可能となる。そのため、照明灯１４の交換作業を安定して行うことが可能となる。
【００７６】
更に、本実施例における補助係合部３１は、照明灯１４とは反対側となる面に、移動方向に直交する向きの壁３１Ａを有しているので、照明灯１４の長手方向における外側、即ち、本実施例の如くソケット２２の外側に棚側板６８に当接し、これによって、ソケット２２自体が倒れたり、取付位置がずれてしまうことで本体側ソケット部材２３自体の取付が不安定となる不都合を抑止することが可能となる。
【００７７】
これにより、補助係合部３１に形成された壁３１Ａが当該ソケット２２の外側に位置する壁面、この場合棚側板６８の内壁と当接することで、照明灯１４の長手方向に向いた付勢力を受けることが可能となり、より一層ソケット２２の取付強度を向上させることが可能となる。
【００７８】
また、ショーケース１の幅寸法に対し、定格とされる照明灯１４の長さ寸法が短い場合には、当該照明灯１４の長さ寸法に合わせてショーケース１に取り付けられることとなる。そのため、照明灯１４を取り付けるためのソケット２２は、棚８の端部ではなく当該端部よりも内側に位置してソケット２２を取り付けることとなる。
【００７９】
この場合には、図２７、図２９、図３３に示されるように本体側ソケット部材２３の補助係合部３１を取付片５０に係止させる。このとき、補助係合部３１に形成される壁３１Ａは、当該取付片５０に形成される切欠５０Ａ内に挿入することで、壁３１Ａが邪魔となることなく当該補助係合部３１が取付片５０に係止される。そして、本体側ソケット部材２３のコンデンサ収容部３０の後面に形成された保持突起３３補強板３２に予め穿設された係合孔５１に挿入する。その後、保持突起３３を係合孔５１に挿入したまま、本体側ソケット部材２３を外方に向けて、即ち、照明灯１４から離間する方向に移動させて、当該保持突起３３に形成される切込３３Ａを係合孔５１の端面に係合させる。この状態で、本体側ソケット部材２３の固定部４６に形成されるネジ孔４７は、補強板３２に予め穿設されるネジ孔５２と重合し、ネジ５３によって螺合する。
【００８０】
尚、この場合において、先ほど切欠５０Ａに壁３１Ａを挿入して取付片５０に係合された補助係合部３１は、当該切欠５０Ａよりも幅寸法が大きいことから、照明灯１４から離間する方向に移動された場合であっても、補助係合部３１は、取付片５０に係止された状態である。また、当該移動によって、補助係合部３１に形成された壁３１Ａは、切欠５０Ａによって形成された外方側、即ち、照明灯１４とは反対側に位置する取付片５０の端面に当接する（図９及び図２９）。
【００８１】
これにより、筐体２５は、補助係合部３１が取付片５０に係止され、当該壁３１Ａが取付片５０の端面に当接すると共に、保持突起３３が係合孔５１の端面に押し付けられた状態で、筐体２５の開口を閉塞する蓋部材２６が補強板３２に直接ネジ止めされる。
【００８２】
従って、この場合においても、本体側ソケット部材２３は、筐体２５と蓋部材２６の二部品によって構成されているが、筐体２５は、保持突起３３が補強板３２の係合孔５１に係合されると共に、当該筐体２５が内方に移動することを禁止する位置において蓋部材２６が固定具としてのネジ５３により本体側、即ち補強板３２の前壁３２Ａに固定されているため、筐体２５に形成される係合爪４０、４０に下方に引っ張る力が加わった場合であっても、蓋部材２６と筐体２５とが分離し、ソケット２２に取り付けられる照明灯１４が落下する不都合を回避することができる。
【００８３】
上記と同様に、係る保持突起３３による補強板３２への固定及びネジ５３による蓋部材２６の補強板３２への固定は、照明灯１４の取り外し方向に対し、離脱する方向になされたものではないことから、照明灯１４の交換作業によって、ソケット２２が外れにくくなり、より安定してソケット２２を本体、即ち、棚８下面に取り付けることが可能となる。
【００８４】
また、筐体２５には、接続部２９を挟んで保持突起３３とは反対側に位置して補助係合部３１が形成されており、当該補助係合部３１は、棚８下面に設けられる取付片５０に照明灯１４の長手方向となる方向に移動されて係合するため、接続部２９を挟んで保持突起３３と補助係合部３１によってソケット２２を構成する筐体２５を棚８下面に係合させることが可能となり、本体側ソケット部材２３を構成する筐体２５の取付強度を向上させることが可能となる。
【００８５】
そのため、照明灯１４の交換作業が行われる際に、照明灯１４が棚８下面から離間させる方向、即ち、本実施例では下方向に力が加えられることで、ソケット２２自体にも棚８下面から離間させる方向の力が加わった場合であっても、上述した如き筐体２５に形成される保持突起３３と、補助係合部３１による棚８下面への係合により、ソケット２２自体が棚８下面から外れてしまう不都合を回避することが可能となる。
【００８６】
また、当該補助係合部３１の端部取付片６７への係合は、補助係合部３１の上端下面が、端部取付片６７の下端によって垂直方向の移動が規制されるものであるため、照明灯１４の取り外し方向に対し、離脱する方向になされたものではないことから、照明灯１４の交換作業によって、当該補助係合部３１の係合が外れる不都合が生じない。そのため、上記保持突起３３による係合と共に、棚８下面に対し、安定して係止されることから、ソケット２２が外れにくくなり、より安定してソケット２２を本体、即ち、棚８下面に取り付けることが可能となる。そのため、照明灯１４の交換作業を安定して行うことが可能となる。
【００８７】
またこの場合においても、本実施例における補助係合部３１は、照明灯１４とは反対側となる面に、移動方向に直交する向きの壁３１Ａを有しているので、照明灯１４の長手方向における外側、即ち、切欠５０Ａによって形成される取付片５０の端面に当接し、これによって、ソケット２２自体が倒れたり、取付位置がずれてしまうことで本体側ソケット部材２３自体の取付が不安定となる不都合を抑止することが可能となる。
【００８８】
これにより、補助係合部３１に形成された壁３１Ａが当該ソケット２２の外側に位置する壁面、この場合取付片５０の切欠部分の外方側に位置する端面と当接することで、照明灯１４の長手方向に向いた付勢力を受けることが可能となり、より一層ソケット２２の取付強度を向上させることが可能となる。
【００８９】
次に、ソケット２２を構成する本体側ソケット部材２３に照明灯１４及び照明灯側ソケット部材２４を取り付ける方法について説明する。先ず初めに、照明灯１４の両端に照明灯側ソケット部材２４を装着する。このとき、照明灯１４の受電用の端子１４Ａは、カバー部５７に形成される端子挿通孔６０、６０に挿通されると共に、当該端子１４Ａがカバー部５７の外方に形成される収容部５６内に臨んだ状態となる。
【００９０】
また、本実施例において、カバー部５７の内壁には、照明灯保持部５８が形成されていることから、当該カバー部５７内に照明灯１４が略きっちりと保持される。更に、照明灯１４に設けられる端子１４Ａは、端子挿通孔６０に挿通されることから、中央部がかしめられた形状とされる端子挿通孔６０によっても略きっちりと保持される。
【００９１】
これにより、照明灯１４の端部に照明灯側ソケット部材２４が装着された状態で、照明灯１４は、照明灯側ソケット部材２４に保持されていることから、取付作業において容易に照明灯側ソケット部材２４が照明灯１４から外れてしまう不都合を抑制することができる。
【００９２】
尚、一方の照明灯側ソケット部材２４が取り付けられた状態で、当該照明灯１４には、保温筒４３を取り付けても良いものとする。この場合には、保温筒４３の端部は、照明灯側ソケット部材２４のカバー部５７の外周面に形成される保温筒保持部５９によって、略きっちりと保持されることから、照明灯１４の交換作業時において保温筒４３が脱落する不都合を抑制することができ、容易に照明灯１４と共に保温筒４３を照明灯側ソケット部材２４に取り付けることが可能となる。
【００９３】
照明灯１４の両端に照明灯側ソケット部材２４が装着された状態で、各照明灯側ソケット部材２４を本体側ソケット部材２３に取り付ける。即ち、本体側ソケット部材２３の接続部２９を照明灯側ソケット部材２４の収容部５６の内部に挿入する。このとき、収容部５６内には、照明灯１４の受電用の端子１４Ａが臨んで取り付けられていることから、当該端子１４Ａは、接続部２９の下端に形成される挿入部３９から内方に進入し、当該接続部２９内部に収容される給電接片３５と接触する。
【００９４】
ここで、給電接片３５は、上述したように弾性部材によって接続部２９の中央に向けて湾曲し、両給電接片３５が近接した後、接続部２９の側方に向けて折り返された形状とされているため、当該給電接片３５の弾性力によって、挿入部３９から挿入された端子１４Ａに向けて付勢される。これにより、これら端子１４Ａと給電接片３５は、電気的に接続される。
【００９５】
特に、本実施例における照明灯側ソケット部材２４の収容部５６内には、下角隅部に押圧部６１、６１が形成されているため、当該押圧部６１、６１は、接続部２９の前後面に形成される切欠２９Ｂから接続部２９の内部に進入する。これによって、押圧部６１は、接続部２９内の給電接片３５、３５に接触した後、当該給電接片３５を内方に、即ち、端子１４Ａ側に付勢する。
【００９６】
これにより、給電接片３５、３５は、図６において点線の状態から実線の状態に変形され、確実に給電接片３５を端子１４Ａに接触させることができるようになる。そのため、従来の構造に比べて安定して給電接片３５と照明灯１４の端子１４Ａとの電気的接続を確実に行うことができるようになり、信頼性を向上することができる。
【００９７】
そのため、ソケット２２により棚８に取り付けられる照明灯１４の端子１４Ａが、照明灯１４の自重により本体側ソケット部材２３の接続部２９内に収容されるの給電接片３５から離間する方向に力が加わっても、照明灯側ソケット部材２４の収容部５６に形成される押圧部６１が確実に本体側ソケット部材２３に取り付けられる給電接片３５を照明灯１４の端子１４Ａに押し付けることができ、接触不良により、点灯不全や、温度が異常に上昇することによる端子１４Ａやソケット２２の焼損を未然に回避することができ、ソケット２２自体の信頼性が向上する。
【００９８】
また、照明灯側ソケット部材２４の収容部５６内に本体側ソケット部材２３の接続部２９を挿入し、更に照明灯側ソケット部材２４を上方に押し上げることで、収容部５６の外方に形成される係合爪４１、４１が、本体側ソケット部材２３の接続部２９の外方に形成される係合爪４０、４０と係合する。
【００９９】
これにより、安定して照明灯側ソケット部材２４を本体側ソケット部材２３に取り付けることができる。そのため、従来のようにクリップに照明灯を保持させる構成に比して、容易に照明灯１４を棚８下面に取り付けることが可能となり、取付作業の簡素化を図ることができるようになる。また、安定して照明灯側ソケット部材２４を本体側ソケット部材２３に係止させることで、照明灯１４の端子１４Ａを安定して本体側ソケット部材２３に収容される給電接片３５と接触させることができ、安定して、且つ、安全に照明を行うことができる。
【０１００】
なお、この場合において、各ソケット２２に照明灯１４が取り付けられることで、照明灯１４の長手方向に対し各ソケット２２に付勢力が働く。この方向は、本体側ソケット部材２３に形成される保持突起３３と補強板３２に形成される係合孔５１との係合方向であることから、本体側ソケット部材２３の筐体２５の蓋部材２６による閉塞を維持する方向となる。従って、筐体２５の係合及び蓋部材２６の固定、並びに、筐体２５と蓋部材２６との結合維持が良好に行われることとなる。これにより、より一層安定してソケット２２を棚８下面に取り付けることが可能となる。
【０１０１】
上記の場合において、ソケット２２は、棚８下面に構成される補強板３２の前壁３２Ａと取付片５０とこれらの間に位置する棚８下面に固定されることとなる。補強板３２の前壁３２Ａは、照明灯１４の後側反射板を構成し、取付片５０は、照明灯１４の前側反射板を構成し、これらの間に位置する棚８下面は照明灯１４の天面反射板８０Ａを構成している。従って、ソケット２２は、これら一連の反射板に取り付けられることとなる。そのため、照明灯１４の反射板としての機能を有する各部材によってソケット２２を安定して取り付けることが可能となるため、従来のソケットの取付構造に比べて、より有利なものとなる。
【０１０２】
また、本実施例において用いられる照明灯１４は、上述したように端子間距離が５ｍｍ程度である細管タイプの所謂Ｔ５管であることから、照明灯１４自体を従来の照明灯と比べて正面から見て薄く形成することが可能となる。そのため、照明灯１４と当該照明灯１４の後方に形成される反射板、本実施例では反射機能を有する補強板３２との距離を従来に比して広く取ることが可能となる。これによって、補強板３２の前壁３２Ａに反射した照明灯１４の光を照明灯１４自体に邪魔されることなく、効果的に陳列室５前部や前方に照射することが可能となり、照明効果を高めることが可能となる。
【０１０３】
同様に、照明灯１４自体が従来と比べて細管とされることで、照明灯１４の前側に位置する取付片５０や、取付片５０と補強板３２との間に位置する棚８下面も反射板として効率的に機能することが可能となる。これにより、これら取付片５０や棚８下面に反射された照明灯１４の光を効果的に陳列室５内、特に当該棚８の下方に設けられる棚８上の商品等や係る棚８の奥に陳列される商品等に照射することが可能となり、陳列効果の向上を図ることができる。
【０１０４】
尚、本実施例における棚８下面には、前部のみならず後部においても補強板３２が設けられている。そのため、棚８下面に前後に位置して照明灯１４を取り付けることも可能となり、これにより、より一層効果的に陳列室５内、特に、当該棚８の下方に設けられる棚８上の照明を行うことが可能となる。
【０１０５】
また、本実施例では、当該細管タイプの照明灯１４を上述した如きソケット２２にて棚８下面に着脱自在に取り付けられるため、照明灯１４の下端は、図３１に示すように棚８下端と略面一とすることが可能となる。そのため、棚８を正面からみた場合に、照明灯１４が下方に突出しない構成とすることができ、より一層棚８自体を薄く構成することが可能となる。これにより、各棚８がスリムに構成されることで、ショーケース全体としての美感が向上する。
【０１０６】
尚、本体側ソケット部材２３と照明灯側ソケット部材２４との係合を離脱させる際に、本体側ソケット部材２３のコンデンサ収容部３０の前面に形成された傾斜面３０Ａと、照明灯側ソケット部材２４に形成された後側の係合爪４１との間に形成される手指挿入空間に人差し指や中指を挿入し、前側の係合爪４１に親指を宛う。そして、手指により、係合爪４１を内方に押圧することで、係合爪４１が内方に向けて変形し、係合爪４０との係合が離脱する。
【０１０７】
このとき、手指挿入空間に挿入された人差し指や中指は、例えば第一関節が、傾斜面３０Ａと当接することによって、当該当接点を軸とした梃子の原理を応用することで、より少ない力によって係合爪４１を内側に押圧し、当該係合を離脱させることが可能となる。これにより、本体側ソケット部材２３と照明灯側ソケット部材２４との係合作業の煩わしさを解消することができ、照明灯１４の取付作業を簡素化することができるようになる。
【図面の簡単な説明】
【０１０８】
【図１】低温ショーケースの斜視図である。
【図２】図１の低温ショーケースの概略縦断側面図である。
【図３】ソケット及び照明灯が取り付けられた状態の棚の下面斜視図である。
【図４】棚下面の後方斜視図である。
【図５】図４の円Ａの部分拡大図である。
【図６】図４の円Ｂの部分拡大図である。
【図７】棚下面の部分拡大平面図である。
【図８】ソケットが棚端部に取り付けられた状態を示す下方から見た拡大斜視図である。
【図９】棚下面の部分斜視図である。
【図１０】陳列室の一側に取り付けられるソケットの側面図である。
【図１１】図１０のソケットの部分透視断面図である。
【図１２】本体側ソケット部材の斜視図である。
【図１３】本体側ソケット部材の側面図である。
【図１４】本体側ソケット部材の筐体の側面図である。
【図１５】本体側ソケット部材の蓋部材の側面図である。
【図１６】図１３を下側からみた平面図である。
【図１７】本体側ソケット部材の正面図である。
【図１８】図１６に給電線を取り付けた状態を示した図である。
【図１９】照明灯側ソケット部材の斜視図である。
【図２０】照明灯側ソケット部材の側面図である。
【図２１】図２０を右からみた図である。
【図２２】図２０を裏側からみた図である。
【図２３】図２０を下から見た図である。
【図２４】カバー部の拡大断面図である。
【図２５】ソケットに給電線及び照明灯を取り付ける状態を説明する概略図である。
【図２６】図２５の電気配線図である。
【図２７】ソケットが棚下面に取り付けられる状態を下方から見た一部切欠斜視図である。
【図２８】図２７の部分拡大図である。
【図２９】ソケットが棚下面に取り付けられた状態を示す下方から見た拡大斜視図である。
【図３０】棚下面の部分拡大平面図である。
【図３１】図３０の部分縦断側面図である。
【図３２】図３０の部分拡大斜視図である。
【図３３】ソケットの取付状態を示す部分拡大斜視図である。
【符号の説明】
【０１０９】
１    ショーケース
２    断熱壁
５    陳列室
８    棚
１４  照明灯（棚下用）
１４Ａ  端子（受電用）
１６  照明灯（天井用）
２２  ソケット
２３  本体側ソケット部材
２４  照明灯側ソケット部材
２５  筐体
２６  蓋部材
２８  本体側取付面
２９  接続部
３０  コンデンサ収容部
３１  補助係合部
３１Ａ  壁
３２  補強板
３２Ａ  前壁
３２Ｂ  後壁
３２Ｃ  当接面
３３  保持突起
３３Ａ  切込
３５  給電接片
３６  給電線
４０、４１  係合爪
４５  蓋側コンデンサ収容部
４６  固定部
４７  ネジ孔
４８  アース用端子固定部
５０  取付片
５１  係合孔
５３  ネジ
５５  装着部
５６  収容部
６４  支柱
６５  ブラケット
６７  端部取付片
６９  アース用端子
８０  棚板
８１Ａ、８１Ｂ、８１Ｃ  固定スポット
８２  前板
【図１】
2007222294.tif 000003
【図２】
2007222294.tif 000004
【図３】
2007222294.tif 000005
【図４】
2007222294.tif 000006
【図５】
2007222294.tif 000007
【図６】
2007222294.tif 000008
【図７】
2007222294.tif 000009
【図８】
2007222294.tif 000010
【図９】
2007222294.tif 000011
【図１０】
2007222294.tif 000012
【図１１】
2007222294.tif 000013
【図１２】
2007222294.tif 000014
【図１３】
2007222294.tif 000015
【図１４】
2007222294.tif 000016
【図１５】
2007222294.tif 000017
【図１６】
2007222294.tif 000018
【図１７】
2007222294.tif 000019
【図１８】
2007222294.tif 000020
【図１９】
2007222294.tif 000021
【図２０】
2007222294.tif 000022
【図２１】
2007222294.tif 000023
【図２２】
2007222294.tif 000024
【図２３】
2007222294.tif 000025
【図２４】
2007222294.tif 000026
【図２５】
2007222294.tif 000027
【図２６】
2007222294.tif 000028
【図２７】
2007222294.tif 000029
【図２８】
2007222294.tif 000030
【図２９】
2007222294.tif 000031
【図３０】
2007222294.tif 000032
【図３１】
2007222294.tif 000033
【図３２】
2007222294.tif 000034
【図３３】
2007222294.tif 000035